(57)【特許請求の範囲】
【請求項１】
記録媒体間で、映像、音声、もしくはその両方を含むデジタルデータをダビングする方法において、
ダビング先記録媒体の属性と、該デジタルデータの属性を取得する取得ステップと、
前記取得ステップで取得した２つの属性情報から該ダビング先記録媒体と該デジタルデータとの組み合わせで実行可能なダビング種別が再エンコードを行わない高速ダビングか再エンコードを行う再エンコードダビングかを判断する判別ステップと、
前記判別ステップでの判別結果を基に、ダビング種別毎に該デジタルデータを分類してダビング種別毎リストを作成する作成ステップと、
使用者に対して、前記作成ステップで作成したダビング種別毎リストを表示する表示ステップと、
使用者が、前記表示ステップで表示されたダビング種別毎リストに表示された該デジタルデータを他のダビング種別毎リストに切り替えることによって、実行するダビング種別を変更する切替ステップと
を有することを特徴とするダビング方法。
【請求項２】
前記ダビング先記録媒体の属性として、暗号化記録対応情報を含むことを特徴とする請求項１記載のダビング方法。
【請求項３】
前記ダビング先記録媒体の属性として、ＭＰＥＧトランスストリームを記録可能かどうかの情報を含むことを特徴とする請求項１記載のダビング方法。
【請求項４】
前記ダビング先記録媒体の属性として、論理フォーマットの情報を含むことを特徴とする請求項１記載のダビング方法。
【請求項５】
前記デジタルデータの属性として、著作権情報を含むことを特徴とする請求項１記載のダビング方法。
【請求項６】
前記デジタルデータの属性として、圧縮フォーマット方式を含むことを特徴とする請求項１記載のダイビング方法。
【請求項７】
前記デジタルデータの属性として、ＤＶＤ−Ｖｉｄｅｏフォーマットメディアに無劣化でダビング可能かどうかの情報を含むことを特徴とする請求項１記載のダビング方法。
【請求項８】
前記デジタルデータが、複数のダビング種別毎リストに登録されることを可能とすることを特徴とする請求項１記載のダビング方法。
【請求項９】
前記ダビング種別として、ダビング禁止も種別の１つとすることを特徴とする請求項１記載のダビング方法。
【請求項１０】
前記ダビング種別として、無劣化のデータコピーダビングと、再エンコードダビングとを含むことを特徴とする請求項１記載のダビング方法。
【請求項１１】
記録媒体間で、映像、音声、もしくはその両方を含むデジタルデータをダビングする装置において、
ダビング先記録媒体の属性と、該デジタルデータの属性を取得する取得手段と、
前記取得手段で取得した２つの属性情報から該ダビング先記録媒体と該デジタルデータとの組み合わせで実行可能なダビング種別が再エンコードを行わない高速ダビングか再エンコードを行う再エンコードダビングかを判断する判別手段と、
前記判別手段での判別結果を基に、ダビング種別毎に該デジタルデータを分類してダビング種別毎リストを作成する作成手段と、
使用者に対して、前記作成手段で作成したダビング種別毎リストを表示する表示手段と、
使用者が、前記表示手段で表示されたダビング種別毎リストに表示された該デジタルデータを他のダビング種別毎リストに切り替えることによって、実行するダビング種別を変更する切替手段と
を有することを特徴とするダビング装置。
【請求項１２】
前記ダビング先記録媒体の属性として、暗号化記録対応情報を含むことを特徴とする請求項１１記載のダビング装置。
【請求項１３】
前記ダビング先記録媒体の属性として、ＭＰＥＧトランスストリームを記録可能かどうかの情報を含むことを特徴とする請求項１１記載のダビング装置。
【請求項１４】
前記ダビング先記録媒体の属性として、論理フォーマットの情報を含むことを特徴とする請求項１１記載のダビング装置。
【請求項１５】
前記デジタルデータの属性として、著作権情報を含むことを特徴とする請求項１１記載のダビング装置。
【請求項１６】
前記デジタルデータの属性として、圧縮フォーマット方式を含むことを特徴とする請求項１１記載のダイビング装置。
【請求項１７】
前記デジタルデータの属性として、ＤＶＤ−Ｖｉｄｅｏフォーマットメディアに無劣化でダビング可能かどうかの情報を含むことを特徴とする請求項１１記載のダビング装置。
【請求項１８】
前記デジタルデータが、複数のダビング種別毎リストに登録されることを可能とすることを特徴とする請求項１１記載のダビング装置。
【請求項１９】
前記ダビング種別として、ダビング禁止も種別の１つとすることを特徴とする請求項１１記載のダビング装置。
【請求項２０】
前記ダビング種別として、無劣化のデータコピーダビングと、再エンコードダビングとを含むことを特徴とする請求項１１記載のダビング装置。
【発明の詳細な説明】
【技術分野】
【０００１】
本発明は、デジタルデータで構成されるコンテンツのメディア間におけるダビング方法に関する。
【背景技術】
【０００２】
アナログＴＶ放送をＭＰＥＧプログラムストリームに変換してＤＶＤやＨＤＤに記録するデジタルレコーダが広まっている。更にテレビ放送もアナログ放送に加えて、デジタル放送も開始されており、このデジタル放送をそのままＤＶＤやＨＤＤに記録するレコーダも登場し、今やデジタルテレビ対応のレコーダのほうが主流となっている。
【０００３】
デジタル放送は非常にデータサイズが大きいため、レコーダとしてはＨＤＤを内蔵する事が必須となり、ＨＤＤとＤＶＤなどのドライブを併せ持つタイプのレコーダが広く使用されるようになってきている。このようなレコーダでは、放送番組を録画する際に、まずＨＤＤに一時的に記憶しておき、本当に残したいコンテンツ（ライブラリー化したいコンテンツ）だけをＤＶＤにダビング（Ｃｏｐｙ／Ｍｏｖｅ）して残すという使われ方が行われている。
【０００４】
ダビングにおいては、ダビング対象のコンテンツの中身（フォーマットや著作権）やダビング先のメディアの状況に応じて、ダビング方法が適切に選択・設定しなければならない。このため、最近のレコーダではこの選択・設定を自動的に行う機能を備えるものも登場してきている。また、これら自動化に関する技術については、特許文献１においても開示されている。
【特許文献１】特開２００６−３２３８９０号公報
【発明の開示】
【発明が解決しようとする課題】
【０００５】
ダビング方法が自動的に選択される場合、デジタル放送をそのまま記録していたものが、再エンコードによりダビングされる場合もある。また、ダビング先のメディアの空き容量が足りないため、その容量に収まるように再エンコードされる場合もある。いずれのケースもユーザーが意図したダビングにならない場合がある。なぜならば、ユーザーとしてはＨＤＤ上でコンテンツを再生した際の画質のまま、ダビング先にＢｙｔｅ  Ｔｏ  ＢｙｔｅのＣｏｐｙ／Ｍｏｖｅをされること（これを以降、高速ダビングと呼ぶ）を期待している場合が多い。特にデジタル放送をそのまま記録している場合、ＢＤなどのリムーバブルディスクに対して高速ダビングしたいという要求は強い。にもかかわらず、システムがコンテンツとダビング先メディアの種類・空き容量などの状態から自動判断した場合には、このユーザーの意図は反映されない。ユーザーとしては無劣化の高速ダビングを期待しているのに、再エンコードダビングにより劣化した形でダビングされることになる。
【課題を解決するための手段】
【０００６】
本発明は、上記課題に鑑みなされたものである。
【０００７】
第一の発明は、ダビング先記録媒体の属性と、該デジタルデータの属性を取得する取得ステップと、
前記取得ステップで取得した２つの属性情報から該ダビング先記録媒体と該デジタルデータとの組み合わせで実行可能なダビング種別を判断する判別ステップと、
前記判別ステップでの判別結果を基に、ダビング種別毎に該デジタルデータを分類してダビング種別毎リストを作成する作成ステップと、
使用者に対して、前記作成ステップで作成したダビング種別毎リストを表示する表示ステップと、
使用者が、前記表示ステップで表示されたダビング種別毎リストに表示された該デジタルデータを他のダビング種別毎リストに切り替えることによって、実行するダビング種別を変更する切替ステップと
を有することを特徴とするダビング方法としている。
【発明の効果】
【０００８】
ダビング種別毎にダビング対象コンテンツをリスト表示することによって、ユーザーのコンテンツに対するダビング方法の認識性が向上し、ユーザーの意図に反したダビング動作の発生確率を低く抑えることが可能となる。
【発明を実施するための最良の形態】
【０００９】
以下本発明を実施するための最良の形態について、図面を参照しながら説明する。
【００１０】
（実施の形態）
図１は、本発明のダビング方法を実現するデジタルレコーダの機能ブロック図である。各機能ブロックをつなぐ実線の矢印はデータ（主にＡｕｄｉｏ／Ｖｉｄｅｏ）の流れを示しており、点線の矢印は制御関係を表している。デジタルレコーダでは、システム全体の制御を司るシステム制御部１０１が存在しており、これが各機能ブロックへ制御信号を送信しながら、システム全体の動作を管理する。システム制御部はマイコンＬＳＩ（ＣＰＵ）とその上で動作するソフトウェアとワークメモリ、およびユーザーから要求を受け付けるユーザーインターベース（リモコン受光部や本体ボタン）などから構成される。ユーザーは図７のリモコンを操作することで、デジタルレコーダに対して処理を要求することが可能となる。それでは、このデジタルレコーダの動作を、各機能を取り上げながら図１と図７を用いて説明を加えていく。
【００１１】
（システムの起動）
デジタルレコーダは本体の電源ボタン、もしくは図７のリモコンの電源ボタン７０１が押下されると起動し、システム制御部１０１上でシステムソフトが起動され、各機能ブロックに順次初期化していく。そして、ＨＤＤ部１１２に対して、管理情報のＲＥＡＤ処理を実施し、ＨＤＤ部１１２に記録されている番組数や各番組の情報を読み出す。もし、ディスクドライブ部１１３に何かリムーバブルメディア１１４が挿入されている場合は、このタイミングでリムーバブルディスク１１４の管理情報の読み出しも行われる
（アナログテレビ視聴）
ユーザーがアナログテレビ放送を視聴する場合、リモコンの放送切換ボタン７０４で受信放送をアナログ放送に設定し、次にチャンネルボタン７０５を押して受信チャンネルを変更し、見たいチャンネルを選局する。システム制御部１０１は、放送切換信号を受信すると、制御対象であるＴＶチューナー部１０２に内蔵されたチューナーの切換を行う。たとえば、アナログチューナー、地上デジタルチューナー、ＢＳデジタルチューナーと内蔵されている場合は、選択するチューナーをそれらチューナーの間で、トグルで回す様な選択方法が実現される。今回はアナログテレビの視聴なので、アナログチューナーを選択した状態にする。次にリモコンからのチャンネルボタンの信号を受信すると、システム制御１０１はＴＶチューナー部１０２に内蔵されたアナログチューナーを制御してチャンネルを変更して選局を行う。ＴＶチューナー部１０２から出力された信号を出力につながっているモニターやスピーカーに出力するため、Ａ／Ｖセレクタ１０４をＴＶチューナー部１０２に選択するように制御する。すると、Ａ／Ｖセレクタ１０４は入力として受け取ったＡｕｄｉｏ信号、Ｖｉｄｅｏ信号をＡ／Ｄ変換し、Ａｕｄｉｏセレクタ１０７、フレームメモリ１０９へと送信する。システム制御部１０１はＡｕｄｉｏセレクタ１０７がＡ／Ｖセレクタ１０４からのＡｕｄｉｏ信号を選択するように設定し、フレームメモリ１０９にＡ／Ｖセレクタ１０４からのビデオ信号が書き込むように制御を行う。もし、視聴画面にチャンネル情報などのＯＳＤを重ねる場合は、このフレームメモリ１０９にシステム制御部１０１がグラフィックスイメージを書き込むことで実現している。Ａｕｄｉｏセレクタ１０７に渡されたＡｕｄｉｏ信号は、後段のＤ／Ａ部１０８でＤ／Ａ変換され、スピーカーを通して出力される。一方、フレームメモリ１１０に書き込まれたビデオ信号は後段のＤ／Ａ部でＤ／Ａ変換され、ＴＶなどのモニターに出力される。
【００１２】
（ライン入力の選択）
ライン入力の選択では、リモコンの入力切換ボタン７０３を押下することで実行可能である。デジタルレコーダに複数のライン入力を備えている場合、入力切換ボタン７０３が押される毎に選択されているライン入力が切り換わることになる。リモコンからの入力切換信号を受信すると、システム制御１０１はＡＶセレクタ１０４を制御して、せつぞくされているライン入力を切り換えていく。そして、ユーザーが所望のライン入力に繋がるまで切換を行う。所望のライン入力からの信号がＡＶセレクタ１０４に入力された後の処理は、アナログテレビの視聴と同等であるので省略する。
（デジタルテレビの視聴）
放送切換ボタン７０４の押下によって、デジタルチューナーを選択する部分については、
アナログテレビ視聴と同じ処理となる。対象がアナログチューナーかデジタルチューナーかの違いだけである。以降はデジタルチューナーが選択された状態として説明を加える。
【００１３】
システム制御部１０１は、チャンネルボタン７０５の操作に応じてＴＶチューナー部１０２に内蔵されたデジタルチューナーを制御し、チャンネル選局を変更していく。ＴＶチューナー部１０２からは選局されたチャンネルに該当するデジタル信号（ＭＰＥＧ−ＴＳ）が出力される。この時、受信信号が暗号化されている場合は、ＴＶチューナー部１０２において複合化され、さらにＰＳＩ／ＳＩの取得・解釈もこのブロックで行われる。ＴＶチューナー部１０２からの出力はデコーダ部１０６へと送信される。システム制御部１０１は、デコーダ部１０６を制御して、選局したチャンネルに該当するＶｉｄｅｏ／Ａｕｄｉｏのストリームを入力信号から選び出し、デコーダ部１０６にそれらのデコードを実行させる。デコードされた信号はＡｕｄｉｏセレクタ１０７、フレームメモリ１０９へと送信されるので、システム制御部１０１はＡｕｄｉｏセレクタ１０７をデコーダ部１０６の出力信号を選択するように制御するとともに、フレームバッファ１０９にデコーダ部１０６の出力信号を書き込む処理を行う。この後の処理はアナログテレビ視聴と同等なので割愛する。
（リムーバブルディスクの装填・取り出し）
システム制御部１０１は、本体の開／閉ボタンを受付けると、ディスクドライブ１１３に対してトレイのＯＰＥＮやＣＬＯＳＥのコマンドを発行する。ディスクドライブはこのコマンドを受け付け、トレイをＯＰＥＮ、ＣＬＯＳＥを実行する。これにより、ユーザーはリムーバブルディスク１１４の取り出し、挿入が可能となる。リムーバブルディスク１１４がディスクドライブ１１３に挿入されると、システム制御部１０１はディスクドライブ部１１３を制御して、リムーバブルディスク１１４に記録されているディスク管理情報を読み出し、リムーバブルディスク１１４に記録されているコンテンツの情報やメディア自体の情報を取得する。
（アナログ入力エンコード記録）
アナログチューナーやライン入力などのアナログ信号を受信・視聴している状態で録画ボタン７０８を押下すると、アナログ信号をＨＤＤやリムーバブルディスクに録画することが出来る。録画ボタンの信号を受信すると、システム制御部１０１はエンコーダ部１０５に対して、Ａ／Ｖセレクタ１０４からの入力信号をエンコードするようにエンコード処理を起動する。エンコーダ部１０５はエンコード処理が起動されると、入力信号をデジタル信号としてＭＰＥＧ−ＰＳに圧縮し、ストリーム／データバッファ部１１１へと書き込む。ストリーム／データバッファ部１１１ではリングバッファが構成されており、エンコーダ部１０５からの出力データを記録し続ける仕組みになっている。システム制御部１０１は、リングバッファ上のデータをＨＤＤ部１１２やディスクドライブ部１１３に対して書き出すことでアナログ信号の記録を実現している。
（デジタルテレビ再エンコード記録）
デジタルテレビを視聴している状態で、録画ボタン７０８を押下するとデジタル放送を録画することが出来る。デジタルテレビを視聴している状態では、先に書いたようにデコーダ部１０６はデジタルチューナーからの入力信号をデコードしている。この時、このデコード結果は、Ａ／Ｖセレクタ１０４に対しても出力されている。録画ボタン７０８が押された時に選択されている録画モードが再エンコード録画モードだった場合、システム制御部１０１はＡ／Ｖセレクタ１０４を制御し、デコーダ部１０６からの入力信号を選択するように制御する。これによりエンコーダ部１０５には、デコーダ部１０６のデコード結果が入力されることとなる。このあとは、先に説明したアナログ入力エンコード記録と同じ処理を行うことで、デジタルテレビの再エンコード記録が実現できる。
（デジタルテレビ直接記録）
デジタルテレビ直接記録とは先に説明した再エンコード記録とは異なり、デジタルチューナーが受信した信号をそのまま（無劣化）でメディアに記録するというものである。システム制御部１０１はＴＶチューナー部１０２からの出力信号をストリーム／データバッファ部１１１に書き込む処理を行う。この時、その他の録画と同様にストリーム／データバッファ１１１上にはリングバッファが構成されている。システム制御部１０１はこのリングバッファがオーバーフローしないように、リングバッファに貯まったデータをＨＤＤ部１１２やリムーバブルディスク１１４に対してＷＲＩＴＥする。そして、ＡＶデータをＷＲＩＴＥすると同時に、この記録番組の管理情報を構築する。管理情報は、記録番組のタイムマップ（主にＧＯＰの管理テーブルで、ＧＯＰのＰｒｅｓｅｎｔａｔｉｏｎ  Ｔｉｍｅ  ＳｔａｍｐとＧＯＰ先頭アドレスの関連付けをしている）と、番組名、番組再生時間、記録日時などが記録されている。
【００１４】
現在のところ、デジタル放送を直接記録できるメディアは、ＨＤＤとＢｌｕ−Ｒａｙ  Ｄｉｓｃ、ＨＤ−ＤＶＤとなっており、ＤＶＤ−Ｒ／ＲＷ／ＲＡＭに対しては記録が出来ない。このため、カレントドライブとして、ディスクドライブ部１１３を選択してデジタルテレビ直接記録を実行した場合、ＨＤＤ部１１２に対して代替録画が実行され、ＨＤＤ上に番組が記録されることになる。
【００１５】
このデジタル放送を直接記録する際に、受信した信号から選局したチャンネルに該当したＡｕｄｉｏ，  Ｖｉｄｅｏのデータのみを選び出して記録しても構わない。このようにデータをフィルタリングすることをパーシャル化と言い、ＴＶチューナー部１０２、もしくはＴＶチューナー部１０２とストリーム／データバッファ部１１１の間で行われる処理である。この処理は、本発明には直接関係が無い為、実施例としては割愛している。
（記録番組の再生）
リモコンの切換ボタン７０２の信号をシステム制御１０１が受け付けると、カレントドライブ（選択されているドライブ）をＨＤＤとリムーバブルディスク、更にその他メディアがある場合は、それらメディア間で交互に切り替える。そして希望のメディアをカレントドライブとした状態で、リモコンの番組リストボタン７０９が押下されると、カレントドライブに記録された番組の一覧をＯＳＤとしてモニターに表示する。番組一覧としてはタイトル名だけを並べたリストや、番組を代表する縮小画像（サムネール）を並べたリストを表示可能であり、ユーザーが好みに合わせて切り替え可能とする。ユーザーはこの記録番組の一覧から所望の番組を、リモコンのカーソルボタン（７１２、７１３、７１４、７１５）、決定ボタン７１１を使用することで選択することが出来る。番組一連で番組を選択（ハイライトを希望の番組に合わせた状態）した状態で決定ボタン７１１が押下されると、システム制御部１０１はその決定ボタン７１１の信号を受信し、選択されている番組の再生動作を起動する。番組の再生には決定ボタン７１１の代わりに再生ボタン７０９を押下することでも可能である。再生動作が起動されると、カレントドライブから所望の番組の管理情報を読み出し、管理情報に記録されているタイムマップから読み出すべきＡＶデータのアドレスを取得し、そのアドレスを指定してカレントドライブに対してＲＥＡＤ要求を発行する。カレントドライブからＲＥＡＤされたＡＶデータは一旦ストリーム／データバッファ部１１１に書き込まれる。システム制御部１０１はストリーム／データバッファ部１１１に格納されたＡＶデータをデコーダ部１０６に送信し、デコーダ部１０６に対してデコード動作の起動をかける。デコーダ部１０６が起動されると入力された信号を次々とデコード）し、新たなＡＶデータが必要となると、システム制御部１０１に対して、次にデコードすべきＡＶデータの供給のリクエストを発行する。システム制御部１０１がこのリクエストを受け付け、次のデータをメディアから読み出し、デコーダ部１０６へ提供するという事を繰り返して、再生が継続されることになる。デコーダ部１０６からのデコード結果は、デジタルテレビの視聴と同様にスピーカー、モニターへと出力されるが、その流れはデジタルテレビ視聴と同等なので、ここでは割愛する。
【００１６】
これまでの説明でわかるように、ＨＤＤ１１２への記録方法としてはＭＰＥＧ−ＴＳとＭＰＥＧ−ＰＳの大きく２つのフォーマット形式がある。さらにＭＰＥＧ−ＰＳではＤＶＤ−Ｖｉｄｅｏフォーマットに互換性があるかないかで２つのモードが存在する。これらの記録フォーマットの選択アルゴリズムをフローチャートとして、図２，３に示している。まず図２にアナログ信号のフォーマット選択アルゴリズムを提示する。ステップＳ２０１でアナログ信号を選択する。次にステップＳ２０２で録画モードがＤＶＤ−Ｖｉｄｅｏ互換モードかどうかチェックする。ＤＶＤ−Ｖｉｄｅｏ互換モードが選択されている場合は、ステップＳ２０３でＤＶＤ−Ｖｉｄｅｏ互換エンコードモードが選択される。一方ステップＳ２０２でＤＶＤ−Ｖｉｄｅｏ互換モードが選択されていない場合、ステップ２０４に進み、ＤＶＤ−ＶＲエンコード記録が選択される。ＤＶＤ−ＶＲエンコード記録では、ＤＶＤ−Ｖｉｄｅｏ規格に準拠したストリームが生成されないため、ＤＶＤ−ＶＲエンコード記録でＨＤＤに記録されたコンテンツをＤＶＤ−ＶｉｄｅｏフォーマットのＤＶＤ−Ｒへダビングする場合は再エンコードが必要となる。
【００１７】
次に図３で、デジタル信号に対する録画フォーマット選択アルゴリズムを提示する。ステップＳ３０１でデジタルチューナーなどのデジタル信号が選択された場合、ステップ３０２で録画モードが直接モードかどうかが確認される。ステップＳ３０２で直接モードが選択されている場合、Ｓ３０３においてＨＤＤなどの直接記録に対応したメディアかどうかが確認され、Ｓ３０５においてそうであれば直接記録としてＭＰＥＧ−ＴＳがそのまま記録されることとなる。一方、Ｓ３０２で録画モードが直接モード以外、もしくはＳ３０３でＤＶＤ−Ｒ／ＲＷ／ＲＡＭの様な直接記録に非対応のメディアだった場合に、ステップＳ３０４に進む。ステップＳ３０４では、録画モードがＤＶＤ−Ｖｉｄｅｏ互換モードかどうかの確認が行われ、ＤＶＤ−Ｖｉｄｅｏ互換モードであれば、ステップＳ３０６に進み、ＤＶＤ−Ｖｉｄｅｏ互換記録が実行され、ステップ２０４においてＤＶＤ−Ｖｉｄｅｏ互換モードが選択されていない場合、ＤＶＤ−ＶＲ記録が実行される。
【００１８】
このように、入力信号とシステムの設定状態に応じて記録されるフォーマットは異なってくる。この状況を図４に表としてまとめている。この表から分るように、デジタル信号を記録する場合、３種類のフォーマットで記録される可能性がある。ＨＤＤは直接記録（ＭＰＥＧ−ＴＳの記録）に対応しているため、ＨＤＤ上にはこの３種類のフォーマットが混在することとなる。更に、著作権の要素を加味すると、フォーマットの種類はＤＶＤ−ＶＲ記録でＣｏｐｙＦｒｅｅ，  ＣｏｐｙＮｅｖｅｒの２種類、直接記録でも同じく２種類の、計５種類のフォーマットが存在することとなる。
【００１９】
この状況でＨＤＤからリムーバブルディスクへのダビングを考えた場合、ダビング対象のコンテンツとダビング先メディアの状態に応じて、ダビング可否、可能なダビング方法が異なってくる。ここで図５を用いて、ＨＤＤからリムーバブルディスクへのダビング判定のアルゴリズムを提示する。
【００２０】
まず、ステップＳ５０１において、ダビング先メディアの情報の取得とダビング対象コンテンツの選択、ならびに情報取得を行う。次に、ステップＳ５０２でダビング対象コンテンツの著作権がＣｏｐｙＦｒｅｅかどうか確認する。もし著作権がＣｏｐｙＦｒｅｅだった場合、ステップＳ５０４でダビング対象コンテンツがＤＶＤ−Ｖｉｄｅｏ互換モードの記録か確認する。もしＤＶＤ−Ｖｉｄｅｏ互換記録だった場合、ステップＳ５０５においてダビング先メディアがＤＶＤ−Ｖｉｄｅｏフォーマットかどうか確認を行う。ステップＳ５０４、ステップＳ５０５が共にＹＥＳだった場合にはＤＶＤ−Ｖｉｄｅｏフォーマットによるダビングが可能であり、ステップＳ５１０に進み、ダビング可能という事になる。ここでいうダビング可能とはダビング方法を限定しないので、高速ダビング・再エンコードダビングのいずれものダビング方法が可能ということを意味する。
【００２１】
ステップＳ５０２で著作権がＣｏｐｙＦｒｅｅではないとされた場合、ステップＳ５０３に進み、ダビング先メディアが暗号化記録可能かどうかを判定する。もし暗号化記録可能なメディアで無い場合、著作権がかかったコンテンツの記録は禁止されているので、ステップＳ５１２へと進んでダビング禁止（不可）扱いとなる。ステップ５０６へ進む場合は、ダビング対象コンテンツに著作権がかかっていて、かつ、ダビング先メディアが暗号化記録可能な場合か、ダビング対象コンテンツの著作権がＣｏｐｙＦｒｅｅで、かつ、ＤＶＤ−Ｖｉｄｅｏ互換モード以外で記録されている場合か、ダビング対象コンテンツに著作権がかかっていて、かつ、ＤＶＤ−Ｖｉｄｅｏ互換モードで記録されていて、かつ、ダビング先メディアがＤＶＤ−Ｖｉｄｅｏフォーマット以外の場合のいずれかである。ステップＳ５０６では、ダビングコンテンツがＭＰＥＧ−ＴＳによる記録かどうか確認される。もし、ＭＰＥＧ−ＴＳの録画であればステップＳ５０７へ進み、ダビング先メディアのフォーマットが確認され、ダビング先メディアがＭＰＥＧ−ＴＳを記録可能な場合は、ステップＳ５１０においてダビング可能という判定となる。
【００２２】
ステップＳ５０６において、ダビング対象コンテンツがＭＰＥＧ−ＴＳによる録画ではないと判定された場合、ダビング対象コンテンツはＤＶＤ−Ｖｉｄｅｏ互換モードの録画か、ＤＶＤ−ＶＲモードの録画となる。そこで、ステップＳ５０８において、ダビング先メディアのフォーマットが確認され、ダビング先メディアのフォーマットがＤＶＤ−ＶＲフォーマットの場合、ステップＳ５０９へと進んで、ダビング可能という判定になる。これは、ＤＶＤ−ＶＲフォーマットのメディアに対しては、ＤＶＤ−Ｖｉｄｅｏ互換モードのコンテンツとＤＶＤ−ＶＲモードのコンテンツが記録可能という事に由る。
【００２３】
ステップＳ５０７でダビング対象コンテンツがＭＰＥＧ−ＴＳで、かつダビング先メディアがＭＰＥＧ−ＴＳを記録不可のメディアだった場合、もしくはステップＳ５０８でダビング先メディアがＤＶＤ−ＶＲフォーマットのメディアではない場合、ステップＳ５１０へと進み、再エンコードダビングという判定がされる。
【００２４】
図６に、図５のダビング判定アルゴリズムに基づいてダビング方法を決定した場合の状態を示す。「ダビング可」は再エンコードダビング・高速ダビング共に可の状態を示しており、「再エンコードダビング可」は再エンコードダビングのみ可能な場合を示している。「ダビング不可」は一切のダビングを禁止するという状態を示している。
【００２５】
各メディアのフォーマット、著作系対応の有・無、ダビング対象コンテンツのフォーマット、ダビング対象コンテンツの著作権情報の組み合わせによって、同じダビング対象でもダビング方法がダビング先メディア毎に異なっていることが分る。デジタルチューナーは現状の放送運用と合わせてＣｏｐｙＯｎｃｅとして、記録された場合はＣｏｐｙＮｅｖｅｒの扱いとしている。将来的にＣｏｐｙ回数制限を緩和するという話もあり、この組み合わせが更に複雑になる可能性がある。
【００２６】
このように、ＨＤＤを内蔵するデジタルレコーダでは、ＨＤＤ内に様々なコンテンツが記録される状況が発生し、リムーバブルメディアとの組み合わせに応じて、各記録コンテンツのダビング方法がダイナミックに変化する。これはユーザーにとっては理解することが難しく、ダビング操作の障害となり得る。この問題に対して、システム側でダビング方法を自動選択するという手段を解決方法としたのが選考文献の特許である。しかしながら、先に書いたようにシステム側でダビング方法を自動的に決定する場合、ユーザーの意図・趣向が反映されないリスクを抱えている。たとえば、画質を劣化させたくないのに、自動的に再エンコードダビングされたために画質が悪くなってしまったなどという悲劇が起こりえる。しかも、もしダビング元のコンテンツがＣｏｐｙＯｎｃｅを記録したものだとすると、オリジナルのデータ（ダビング元のコンテンツ）はダビング操作によってＭｏｖｅされるため、削除されてしまう。つまりユーザーの意図したダビングをやり直すことが出来ないのである。
【００２７】
本発明においては、ＨＤＤ上に記録されたコンテンツを可能なダビング方法ごとに分類し、リストを作成し、ダビング方法ごとにユーザーにコンテンツリストを提供することで、ユーザーが期待しているダビング方法の選択を容易にし、ユーザーの認識性を向上させている。
（ダビング操作）
本実施例におけるダビング操作について図７のリモコンの図、図８から図１４の画面イメージ図を用いて説明を行う。
【００２８】
リモコンの操作一覧ボタン７１０を押下すると、デジタルレコーダが提供する機能の一覧が表示される。その中にダビングの項目があるので、そこにカーソルボタン（７１２〜７１５）を用いて、ハイライトを移動し決定ボタン７１１を押下すると、図８に示すダビング画面８０１が表示される。図８は左にダビング処理のステップ８０２〜８０４が表示され、右に現在のステップの詳細情報を表示するという構成になっている。また、左の下には、使用可能なリモコンボタンをユーザーに知らせる操作ガイド８０５が配置されている。ダビングステップ項目の横に△８０６、８０７があるものがあるが、これはリモコンの右ボタン７１５で、右側の詳細情報にハイライトを移す事により、設定内容の変更が可能となる。図８ではハイライトが８０２にある状態となっている。ダビング方向８０２ではＨＤＤからＤＶＤへのダビング方法が設定されていることを示しており、左の詳細画面も同じ内容を表示している。ダビング元メディア情報８０８ではＨＤＤが選択されていることを示しており、ダビング先メディア情報８０９ではＢＤ／ＤＶＤが選択されていることを示している。ハイライトを８０２から８０８へ移動させ、決定ボタン７１１を押下すると、ダビング元メディアを変更することが可能となり、ＨＤＤから他メディアへ選択状態を移動させ、決定ボタン７１１を押下するとメディア選択か確定する。ダビング先メディアでも同様の処理となる。ダビング先メディア情報８０９でＢＤ／ＤＶＤとなっているのに、ダビング方向８０９でＤＶＤ  Ｒ（ｖｉｄｅｏ）となっているおり、表示があっていない。これは、ダビング方向８０２においては、ドライブに装填されているメディアの種類、フォーマットまでをユーザーに提供することを目的とするため、より詳しい情報が表示されることとなっている。ユーザーはこれにより、より明確にどの論理フォーマットのどの物理メディアに対してダビングを行うのかを明確に認識することが可能となる。詳細画面から右のダビングステップ項目に左ボタン７１３を押下するか、戻るボタン７１７を押下することで戻ることが出来る。
【００２９】
図８のダビング方向８０１にあるハイライトのカーソルボタン７１４を押下する事でコンテンツリスト作成８０３に移動させた状態を図９に示す。図９にあるようにハイライトがコンテンツリスト作成ステップ９０１に移動し、右の詳細画面がダビングリスト画面に切り換わっている。図９のダビングリスト画面では、ダビング対象コンテンツを１つも選んでいない状態なので、ダビングリスト９０２には何も登録されておらず、一番上に「新規登録」９０３という項目が存在する。ユーザーはこの状態でカーソルボタン７１５を押下してハイライトを詳細画面に移動すると、ハイライトが新規登録９０３にセットされる。ダビング対象コンテンツを選ぶ場合、ハイライトを新規登録９０３に合わせた状態で決定ボタン７１１を押下することで、ダイビング対象コンテンツの選択画面へと移行することが出来る。ダビング対象コンテンツが１つも登録されていない場合、ハイライトは新規登録９０３から移動することは無い（記録されているダビング対象コンテンツがある場合は、既登録のコンテンツへハイライトを移動させて、コンテンツの詳細内容を確認することが可能である）。
【００３０】
図１０は、ダビング対象コンテンツの選択画面を示している。図９のダビングリスト作成画面において、詳細画面がダビング対象コンテンツリスト１００１に変わった形態になっている。ダビング対象コンテンツリストは、ダビング方法毎の分類された対象コンテンツリスト１００４から構成されており、各ダビング方法の切換は対象コンテンツリスト１００４の上部に位置するタブ１００５、１００６、１００７を切り換える事で可能であり、タブの切り換えはカーソルボタンの左ボタン７１３・右ボタン７１５を押下することで切り換わる。タブはそれぞれダビング方法に対応していて、選択されたダビング方法に分類された対象コンテンツがリストアップされる様になっている。ここで特徴的なのが、ダビング禁止のタブ１００７の存在である。従来のダビングシステムで良く用いられているダビング対象コンテンツの表示方法では、すべての番組が一次元に並べられ、番組を選んで「ダビングできません」という警告が出て、初めてダビングが出来ないということをユーザーが認識できるという構成のものがあり、ユーザーの認識性が著しく悪い。また、最初からダビング禁止のコンテンツをリストに表示しないという方法をとるシステムであるが、これでは、「録画したものとして存在するのに、なぜダビングリストに出てこないのか？」と混乱を与えることになる。これら問題点を避けるため、あえてダビング禁止のタブ１００７を設けて、ダビング禁止として登録されている番組を見せることで、ユーザーがダビングの状況を正しく理解することを助け、ユーザーが意図したダビングを実施できることを促す効果が期待できる。たとえば、ダビング先メディアとして挿入ミスした場合など、ここで気づくが期待できるのである。この画面１００１でも、ダビング方向１００２を表示しており、現在のダビング処理のメディア状況をいつでも確認できるようになっており、これもダビング状況を把握するのに有効な情報となっている。
【００３１】
先行例のようにダビング方法の選択を自動化してしまうと、この実施例のような、ユーザーがダビング方法を意識しながらコンテンツを選択するという機会が奪われるため、ユーザーが意図しない、ユーザーが誤解したままの状態でダビングが実施される可能性を含んでいる。
【００３２】
また、画面１００１では、操作ガイド１００３が表示されており、リモコンボタンの操作内容が示されている。カーソルボタン７１３、７１５がタブの切換を出来ることを示しており、カーソルボタン７１２、７１４がコンテンツを選択できることを示している。コンテンツの確定には決定ボタン７１１を使用し、ダビングリストに戻るには戻るボタン７１７を押下することも分るようになっている。
【００３３】
ダビング対象リスト１００４の右側にスクロールバー１００９があり、現在表示されているコンテンツ群が全体のどの位置にあるかを示しており、ユーザーがリスト全体の把握するのを助けている。
【００３４】
図１０ではハイライト１００８が「釣りサタデー」というコンテンツにセットされた状態である。この状態で決定ボタン７１１が押下されると、ハイライトが当たっていたコンテンツがダビングリストへと登録がなされる。後ほど、図１２でその様子は紹介する。図１０において、タブを高速ダビングタブ１００５から再Ｅｎｃダビングタブ１００６に切り換えると図１１に示す状態となる。ダビング対象コンテンツリストが、再エンコードダビング可能なコンテンツのリストへと切り換わる。ここで注目してもらいたいのは、一番上にある「イブニングニュース」や先に選択した「釣りサタデー」などは図１０の高速ダビングのリストにも、再エンコードダビングのリストにも登録されているということである。ユーザーは所望のダビング方法に該当したタブさえ選べば、その方法でダビング可能なものはすべてリストアップされるため、ダビングの難易度の削減、操作性の向上が期待できる。図１１では、ハイライト１１０１が「イブニングニュース」というコンテンツに設定されている。この状態で決定ボタン７１１を押下するとダビングリストに「イブニングニュース」が登録される。
【００３５】
ここで２つコンテンツがダビング対象としてダビングリストに登録された状態になっている。そこでその状態を確認するため、図１１の状態で戻るボタン７１７を押下して、ダビング対象コンテンツリスト画面から抜けると、図１２に示すダビングリスト作成画面に移行する。図９に示した初期状態のダビングリスト作成画面と比べて、先に選択した２つのコンテンツがリストに登録されていることが確認できる。更に、これらのコンテンツには一番左に新たな情報としてアイコンがついており、そこで高速ダビングモードで選択したのか、再エンコードダビングモードで選択したのが一目で確認できるようになっている。アイコン１２０１は高速ダビングモードを示しており、アイコン１２０２は再エンコードダビングモードを示している。２つのコンテンツが登録されたことにより、「新規登録」１２０３の項目は３番目に移動した形となっている。この状態からダビング対象のコンテンツを追加する場合は、もう一度「新規登録」１２０３にハイライトを合わせて決定ボタン７１１を押下する事で、ダビング対象コンテンツリストに移行することが可能である。
【００３６】
図１１の状態からカーソル右ボタン７１５を押下して、ダビング禁止タブ１３０１を選択した状態が図１３となる。ここにはダビング禁止のコンテンツがリストアップされた状態となっている。ダビング先メディアがＤＶＤ−Ｒのビデオフォーマット状態となっているため、著作権のかかったものは記録できないために、著作権がかかったコンテンツがすべてリストアップされている。現行の放送運用ではデジタル放送はＣｏｐｙＯｎｃｅの運用がなされているため、図１３の状態ではデジタル放送の番組が全てダビング禁止としてリストアップされる。チャンネル情報１３０２の「地上Ｄ」とは地上デジタルのことを示しており、１３０３の「ＢＳＤ」がＢＳデジタルのことを示している。
【００３７】
図１３では、ハイライト１３０４は「いないいないバッハ」という番組にセットされているが、この状態で決定ボタン７１１を押下すると、図１４に示すように警告パネル１４０１が表示される。警告パネル１４０１には、ユーザーに対する状況の説明と、対策方法が説明されており、このパネルを消すための戻るボタン１４０２も表示されている。ハイライトは戻るボタン１４０２にセットされた状態で表示されており、決定ボタン７１１を押下することで警告パネル１４０１を消し、図１３に戻ることが可能となる。
【００３８】
図１２において、１つのリストにおいて高速ダビングと再エンコードダビングを表すアイコンが表示されているということは、方式の違うダビング方法を組み合わせて実施することが可能である事を意味している。図１２において、ハイライトをダビング開始にセットして、決定ボタン７１１を押下するとダビング処理が開始されるが、まず１つ目の番組が高速ダビングされた後、引き続いて２番目の番組が再エンコードダビングされる。
【産業上の利用可能性】
【００３９】
本発明は、メディア間でコンテンツを移動するシステムにおいて利用可能である。特に異なる種類のメディア間のコンテンツの移動や、複数の（圧縮方式により圧縮された）コンテンツを含むシステムにおいて、メディア間でのコンテンツの移動を行うシステムに利用可能である。
【図面の簡単な説明】
【００４０】
【図１】デジタルレコーダブロック図
【図２】アナログ信号の録画方法決定フローチャート
【図３】デジタル信号の録画方法決定フローチャート
【図４】入力信号に対する録画方法対応テーブルを表した図
【図５】ダビング方法決定フローチャート
【図６】ダビング方法対応テーブルを表した図
【図７】リモコン図
【図８】ダビング操作画面を表した図
【図９】ダビングリスト作成画面を表した図
【図１０】ダビング対象コンテンツリスト（高速ダビングモード）を表した図
【図１１】ダビング対象コンテンツリスト（再エンコードダビングモード）を表した図
【図１２】ダビングリスト作成画面（コンテンツ選択済み）を表した図
【図１３】ダビング対象コンテンツリスト（ダビング禁止）を表した図
【図１４】ダビング禁止警告パネルを表した図
【符号の説明】
【００４１】
１０１    システム制御部
１０２    ＴＶチューナー部
１０３    ＡＶ入力
１０４    Ａ／Ｖセレクタ
１０５    エンコーダ部
１０６    デコーダ部
１０７    Ａｕｄｉｏセレクタ
１０８    Ｄ／Ａ変換
１０９    フレームメモリ
１１０    Ｄ／Ａ変換
１１１    ストリーム／データバッファ部
１１２    ＨＤＤ部
１１３    ディスクドライブ部
１１４    光ディスク
【図１】
0004835558.tif 000002
【図２】
0004835558.tif 000003
【図３】
0004835558.tif 000004
【図４】
0004835558.tif 000005
【図５】
0004835558.tif 000006
【図６】
0004835558.tif 000007
【図７】
0004835558.tif 000008
【図８】
0004835558.tif 000009
【図９】
0004835558.tif 000010
【図１０】
0004835558.tif 000011
【図１１】
0004835558.tif 000012
【図１２】
0004835558.tif 000013
【図１３】
0004835558.tif 000014
【図１４】
0004835558.tif 000015